(57)【要約】【課題】活性化鉱水由来の好ましい特性が及ぶことによる健康増進などの作用が、活性化鉱水を用いて直接に処理しなくてもよい方法とし、すなわち比較的簡易な光学的処理で活性化鉱水由来の電磁波同調光による光照射ができ、また所期した特性のある光照射装置の製造効率の向上と製造作業の省力化を図れるようにすることである。【解決手段】  光照射装置の光透過部もしくは光反射部または両部材からなる構成部材に、下記の電光装置からの光を予め照射処理しておき、次いで光照射装置から発せられた光を前記構成部材に透過または反射させて活性化鉱水由来の電磁波に共鳴した電磁波同調光とし、この電磁波同調光を処理対象物に照射処理することからなる活性化鉱水由来の電磁波同調光による光照射処理方法とする。電光装置は、電気エネルギー発光素子からの光を透過または反射する光透過部または光反射部を有する電光装置からなり、この電光装置の光透過部もしくは光反射部または両部材は、所定方法で製造された活性化鉱水で接触処理されたものとする。活性化鉱水から放出される電磁波を照射して電磁振動エネルギーを吸収させることにより、活性化鉱水を接触処理する場合と同等の好ましい作用効果を得ることができる。【選択図】なし【特許請求の範囲】
【請求項１】
光照射装置の光透過部もしくは光反射部または両部材からなる構成部材に、下記の電光装置からの光を予め照射処理しておき、次いで前記光照射装置の電気光源から前記構成部材に光を透過または反射させて活性化鉱水由来の電磁波に共鳴した電磁波同調光とし、この電磁波同調光を処理対象物に照射処理することからなる活性化鉱水由来の電磁波同調光による光照射処理方法。
記
電気光源からの光を透過または反射する光透過部または光反射部を有する電光装置からなり、この電光装置の光透過部もしくは光反射部または両部材は、所定方法で製造された活性化鉱水で接触処理された電光装置である。
【請求項２】
請求項１に記載の活性化鉱水由来の電磁波同調光による光照射処理方法において、電光装置が、所定方法で製造された活性化鉱水で接触処理された光透過部もしくは光反射部または両部材に代えて、請求項１に記載の光照射処理方法で処理された光透過部もしくは光反射部または両部材を用いた電光装置である活性化鉱水由来の電磁波同調光による光照射処理方法。
【請求項３】
光照射装置または電光装置の電気光源からの光が、可視光、赤外線、遠赤外線および紫外線から選ばれる１種以上の光である請求項１または２に記載の活性化鉱水由来の電磁波同調光による光照射処理方法。
【請求項４】
請求項１または２に記載の活性化鉱水由来の電磁波同調光による光照射処理方法において、
光照射装置の光源が、蛍光灯であり、かつ光透過部もしくは光反射部または両部材に代わる部材が、蓄光材が塗布された蛍光管である活性化鉱水由来の電磁波同調光による光照射処理方法。
【請求項５】
活性化鉱水の製造方法が、５〜３０気圧に加圧された水を玄武岩、安山岩、磁鉄鉱から選ばれる１種以上の鉱物を含む鉱物性無機物質に接触通過させる工程と、この工程を経た水を前記気圧未満の雰囲気下に貯留する工程を交互に繰り返して製造された活性化鉱水である請求項１〜４のいずれかに記載の活性化鉱水由来の電磁波同調光による光照射処理方法。
【請求項６】
請求項１〜５のいずれかの光照射処理方法において、処理対象物が、金属、樹脂、セラミック、水または空気である活性化鉱水由来の電磁波同調光による光照射処理方法。
【請求項７】
所定方法で製造された活性化鉱水由来の電磁振動を光透過部または光反射部からなる構成部材に与えた光照射装置を設け、この光照射装置の電気光源から発した光を前記光透過部または光反射部に透過または反射させて活性化鉱水由来の電磁波に共鳴した電磁波同調光を調製する光の経路を設けた活性化鉱水由来の電磁波同調光の照射装置。
【請求項８】
請求項７に記載の活性化鉱水由来の電磁波同調光の照射装置からなる空気中のマイナスイオン富化装置。
【請求項９】
請求項７に記載の活性化鉱水由来の電磁波同調光の照射装置からなる血行促進性の光照射装置。
【請求項１０】
請求項７に記載の活性化鉱水由来の電磁波同調光の照射装置からなる脱臭装置。
【発明の詳細な説明】
【技術分野】
【０００１】
この発明は、活性化鉱水に由来する電磁波同調光を照射処理し、活性化鉱水の有する特性を汎用製品に付与できるように加工処理する活性化鉱水由来の電磁波同調光による光照射処理方法およびその光照射処理装置に関するものである。
【背景技術】
【０００２】
一般に、通常の水は、分子が水素結合によってクラスターを形成した状態であり、このクラスターの形成度合によって、水の腐敗速度に多大な影響があることが近年多くの学者等の実験研究によって解明されている。
【０００３】
水分子のクラスターを崩壊させて小さなクラスターにするか、または昇降圧状態で無機物質から溶け出したイオンを中心にするなどして小分子集団化させると、例えば物質への浸透性が増し、繊維加工水として用いた場合に染着性が改善され、または雑菌の増殖を抑制するといった種々の効用があることも知られている。
【０００４】
活性化鉱水は、本願の発明者が食品加工用水や繊維加工用水として適当な小分子集団化されまたは単分子化された水を開発し、これを活性化鉱水としてその製造方法を開示したものである（特許文献１）。
【０００５】
特許文献２に記載されているように、活性化鉱水は、５〜３０気圧に加圧された水を所定の鉱物性無機物質に接触通過させる工程と、この工程を経た加圧水を前記所定の気圧未満の雰囲気に貯留する工程とを設け、これらの工程を交互に繰り返すようにして前記加圧水を循環させて製造できる。
【０００６】
このような活性化鉱水を好ましくは２〜３０気圧に加圧し、セラミックス、ガラス、樹脂、金属などの固形状処理対象物に接触通過させて、好ましい物理化学的作用を及ぼす接触反応方法が知られている（特許文献２）。
【０００７】
活性化鉱水を接触させた樹脂ペレットを用いて液体や固体の収容容器を成形すると、この容器に収容された生鮮食品の鮮度低下が穏やかになり、またその生鮮食品の味がまろやかになるといった特異な物理化学的作用のあることも開示されている（特許文献３）。
【０００８】
また、活性化鉱水の物理化学的な作用を非接触の状態でも奏されるようにし、特に光を介して人の健康増進に役立つような装置となるようにし、その他にも種々の効用が期待される活性化鉱水の物理化学的作用が奏される電光装置およびこれを光源とする照明装置が開示されている（特許文献４）。
【０００９】
【特許文献１】特公平４−７４０７４号公報（特許請求の範囲）
【特許文献２】特許第３５６１５３２号公報（特許請求の範囲、段落［００２０］）
【特許文献３】特許第３６３４０２１号公報（特許請求の範囲、段落［００３６］）
【特許文献４】特開２００６−３３２４３９号公報
【発明の開示】
【発明が解決しようとする課題】
【００１０】
しかし、上記した従来の電光装置およびこれを光源とする照明装置では、電光装置の発光素子を封入した透光性の中空成形体を直接に活性化鉱水で接触処理しなければ所期した効果が得られないものであり、そのような照明装置の製造には加圧設備などを要し、また長時間の活性化鉱水での接触処理工程が必要であり、処理には長時間に亘り多くの労力が必要であった。
【００１１】
そこで、この発明の課題は、上記した問題点を解決して、活性化鉱水由来の好ましい特性が人や動物に及ぶことによる健康増進などの作用が、活性化鉱水を直接に用いなくても間接的に及ぶ方法とし、すなわち比較的簡易な光学的処理によって活性化鉱水由来の電磁波に同調した光照射処理ができるようにし、また所期した特性ある光照射装置の製造作業の省力化を図り、装置の製造効率を向上させることである。
【課題を解決するための手段】
【００１２】
上記の課題を解決するために、この発明においては光照射装置の光透過部もしくは光反射部または両部材からなる構成部材に、下記の電光装置からの光を予め照射処理しておき、次いで光照射装置の電気光源からの光を前記構成部材に透過または反射させて活性化鉱水由来の電磁波に共鳴した電磁波同調光とし、この電磁波同調光を光照射装置から処理対象物に照射処理することからなる活性化鉱水由来の電磁波同調光による光照射処理方法としたのである。
記
電気光源からの光を透過または反射する光透過部または光反射部を有する電光装置からなり、この電光装置の光透過部もしくは光反射部または両部材は、所定方法で製造された活性化鉱水で接触処理された電光装置である。
【００１３】
上記したように構成されるこの発明の光照射処理方法は、光照射装置の構成部材である光透過部もしくは光反射部または両部材に、活性化鉱水から放出される電磁波を照射して電磁振動エネルギーを吸収させることにより、活性化鉱水を接触させて処理する場合と同等の好ましい作用効果を得ることができる。
【００１４】
具体的には、当初製造する光照射装置については、予め、光照射装置の構成部材である光透過部もしくは光反射部または両部材に対して、活性化鉱水を噴霧またはこれに浸漬するなど接触処理を行なっておき、活性化鉱水を直接に作用させた光照射装置の所定構成部品を作製しておくが、次の段階で製造する光照射装置については、その構成部材である光透過部もしくは光反射部または両部材に対し、光照射装置から発せられる活性化鉱水由来の電磁波同調光を光照射処理しておき、活性化鉱水を直接に接触させる処理と同等の好ましい作用効果の奏される光照射装置にする。
【００１５】
すなわち、前記した活性化鉱水由来の電磁波同調光による光照射処理方法において、電光装置が、所定方法で製造された活性化鉱水で接触処理された光透過部もしくは光反射部または両部材に代えて、前述の光照射処理方法で処理された光透過部もしくは光反射部または両部材を用いた電光装置である活性化鉱水由来の電磁波同調光による光照射処理方法を採用することもできるのである。
【００１６】
このような光照射装置は、可視光、赤外線、遠赤外線および紫外線から選ばれる一種以上の光を発する光照射装置であればよく、発生させる光の波長は特に限定して採用するものではなく、活性化鉱水由来の電磁波同調光による光照射処理方法を汎用的に使用することができる。
【００１７】
特に光照射装置が、蛍光灯である場合には、光透過部もしくは光反射部または両部材に代わる部材が、蓄光材が塗布された蛍光管であるから、すなわち蛍光管の内面に塗布される蓄光材が、活性化鉱水から放出される電磁波を照射して電磁振動エネルギーを吸収させた電磁波伝搬性の蓄光材である活性化鉱水由来の電磁波同調光による光照射処理方法としてもよい。
【００１８】
すなわち、蛍光管に塗布される蓄光材に対して、光照射装置から発せられる活性化鉱水由来の電磁波同調光を光照射処理すれば、活性化鉱水を接触処理する場合と同等な作用効果の得られる光照射装置になるのである。
【００１９】
前記した所定特性の活性化鉱水の製造方法としては、５〜３０気圧に加圧された水を玄武岩、安山岩、磁鉄鉱から選ばれる１種以上の鉱物を含む鉱物性無機物質に接触通過させる工程と、この工程を経た水を前記気圧未満の雰囲気下に貯留する工程を交互に繰り返して活性化鉱水を製造する方法を採用することができる。
【００２０】
所定の活性化鉱水は、分子レベルで小集団化した水、すなわち無機物質から溶出した２価、３価イオンなどを中心に水のクラスターが小型化して浸透性の高い水であり、ガラス等の光学部品の材料に接した場合には浸透しやすいが、浸透しない状態でも、光照射装置の構成部材である光透過部もしくは光反射部または両部材に対して活性化鉱水からの電磁振動エネルギーとしての電磁波が伝播し、物理化学的作用が及ぼされると考えられる。
【００２１】
このような活性化鉱水由来の電磁振動エネルギーを吸収した光学部品は、これを通過、または反射する光（電磁波）と共振するものになると考えられ、電磁波が透過または反射する際に得られる電磁波同調光に水その他の極性のある分子や金属などに対して何らかの物理化学的作用を及ぼしやすい特異な光化学特性が付与される。
【００２２】
その作用は、光透過部を透過する光が可視光であっても奏され、例えば光照射装置が、白熱電球、蛍光灯または発光ダイオードのいずれの電光装置である場合にも奏される。
【００２３】
また、活性化鉱水がセラミックス、ガラス、金属などの固形状処理対象物に接触しないまでも、これらに一時的に接触した状態と同様に、電磁波を介して分子の振動エネルギーを電磁場と同様に伝播させているとすれば、その結果として処理対象物の分子のエネルギーは変化するものと考えられる。
【００２４】
上記の作用効果の得られる光照射装置としては、上記した所定方法で製造された活性化鉱水由来の電磁振動を光透過部または光反射部からなる構成部材に与えた光照射装置を設け、この光照射装置の電気光源から発した光を前記光透過部または光反射部に透過または反射させて活性化鉱水由来の電磁波に共鳴した電磁波同調光を調製する光の経路を設けた活性化鉱水由来の電磁波同調光の照射装置とすることができる。
【発明の効果】
【００２５】
本願の光照射処理方法および照射装置に係る発明は、光照射装置における所定の構成部材に、活性化鉱水の電磁振動を与え、またはこれに同調した光を照射し、次いで光を前記構成部材に透過または反射させて得られた電磁波同調光を処理対象物に照射処理するようにしたので、光照射装置から活性化鉱水の電磁振動エネルギーが照射できるようになり、活性化鉱水由来の好ましい特性が及ぶ健康増進などの作用が、活性化鉱水を用いて直接に処理しなくてもよい方法となり、すなわち比較的簡易な光学的処理で活性化鉱水由来の電磁波同調光による光照射ができる利点がある。
【００２６】
この電磁波同調光を用いて照射処理すれば、処理対象物に活性化鉱水由来の特性が簡便に伝達されるようになり、特に、照射された空気中のマイナスイオンの富化効果、有機物質が原因の有臭成分の分解脱臭効果、電磁波同調光の照射による血流改善効果などが期待される。
【００２７】
また、活性化鉱水由来の電磁波同調光による光照射装置の製造工程の簡単化により、所期した特性のある光照射装置の製造効率の向上と製造作業の省力化を図ることができるという利点もある。
【発明を実施するための最良の形態】
【００２８】
この発明の活性化鉱水由来の電磁波同調光による光照射処理方法および活性化鉱水由来の電磁波同調光の照射装置について、以下に適宜に添付図面を参照しながら説明する。
実施形態の光照射処理方法は、例えば白熱電灯や蛍光灯のような室内外灯、または懐中電灯その他の電光装置または光照射装置の構成部材である集光レンズや電球の保護用覆いとなる光透過部もしくは所定方向へ光を集中させまたは散乱させるための光反射部または蓄光材などの部材に、活性化鉱水から放出される電磁波を照射し、好ましくは所定時間の処理を経て電磁振動等のエネルギーを与えて吸収させる。
【００２９】
次いで、光照射装置内で発せられた光は、装置内の構成透過性部材に透過させ、もしくは反射性部材に反射させ、または蛍光剤などに蓄光させて前記の電磁振動と共振させ、この際に得られる電磁波同調光を処理対象物に照射処理することによる活性化鉱水由来の電磁波同調光による光照射処理方法を採用する。
【００３０】
図１に示すように、実施形態の電光装置または光照射装置は、光源（電光装置）Ａから発生した光を凸レンズ５付きのヘッド６やその他の光透過性または光反射性の１以上の光学部品を介して被照明物に照射可能であるもの、例えば懐中電灯、その他周知の照明器具を例示できる。光照射装置の構成部材である光透過部としては、凸レンズ、凹レンズや平板状または曲面状のガラスなどの透明性または半透明性のセラミックス、またはポリカーボネートやアクリル系樹脂などの合成樹脂製の透明な部品、同様な材料で形成された外装部品（カバー、ケースなど）が挙げられる。
【００３１】
また、光反射部としては、アルミニウム、クロム、銀、ニッケル、ステンレス鋼などの金属製からなるもの、金属や合成樹脂やガラスなどに蒸着などして物理化学的に鍍金したもの、またはガラスや合成樹脂に蒸着したもの、またはセラミックスなどからなり、例えば、電球の一部が反射面となるように鍍金されたものや、電球の裏側に別途設置される反射凹面鏡などの光学部品などが挙げられる。
【００３２】
また、電光装置としては、発光素子が、白熱電球ばかりでなく、他にも発光素子を発光ダイオード（ＬＥＤ）としたもの（図１参照）や、蛍光灯（可視光の蛍光灯、いわゆるブラックライトなどの紫外線電球など、）その他周知の電光装置を採用することができる。
これらに使用する電源は、直流電源ばかりでなく、交流電源も適宜に調整使用できる。
【００３３】
この発明に用いる活性化鉱水は、５〜３０気圧に加圧された水を玄武岩、安山岩、磁鉄鉱から選ばれる１種以上の鉱物を含む鉱物性無機物質に接触通過させ、接触通過した水を前記気圧未満の雰囲気下に曝気し、これらの工程を順に繰り返して製造されると、鉱物性無機化合物を含有する活性化鉱水になる。
【００３４】
上記方法で製造された活性化鉱水は、接触通過した鉱物性無機物質から溶出した無機イオン（例えば２価または３価の無機イオン）を含んでいるほか、水素結合が切れて水分子が５〜６クラスター程度となり、通常の水分子の２０〜３０分子の場合に比べて小さくなっているなど、分子レベルで水の状態が変化しているものと考えられており、種々の物質によく浸透する物性がある。
【００３５】
因みに、鉱物性無機物質の代表例である玄武岩、安山岩、磁鉄鉱の主な成分は、ＳｉＯ2、ＴｉＯ2、Ａｌ2Ｏ3、Ｆｅ2Ｏ3、ＦｅＯ、ＭｎＯ、ＭｇＯ、ＣａＯ、Ｎａ2Ｏ、Ｋ2Ｏからなっている。
【００３６】
５〜３０気圧に加圧された水を使用して鉱物性無機物質に接触通過させる理由は、５気圧未満の低圧では活性化鉱水の製造効率が悪く、生成された鉱水の浸透性向上などの作用が不充分だからであり、また加圧の上限は、３０気圧を越える加圧水を接触させても活性化鉱水にそれ以上に変化が見られず、却って実用性を失するからである。
【００３７】
また、５〜３０気圧という加圧時の気圧未満の雰囲気下に貯留する工程を設け、例えば曝気などによって好ましくは大気圧に減圧する理由は、加圧された水を減圧し、再び加圧するという工程を繰り返すことにより、水の水素結合を切って変性させ、それまで水素結合に寄与していた電子を還元性に寄与させるようにするためであり、このような減圧と加圧を繰り返す製造工程は、活性化鉱水に特有の物性を付与するために必要な工程と考えられる。
【００３８】
上記の所定方法で製造された活性化鉱水に透光性中空成形体、樹脂ペレット、ガラスの原材料などを浸漬する他の接触処理を施すと、この原材料に活性化鉱水およびこれに溶出した鉱物性無機物質からの無機イオン性物質が添加され、また接触した水分子の振動エネルギーが電磁場と同様に伝播するとすれば、その結果として樹脂ペレット等の処理対象物の分子内のエネルギーは変化するものと考えられる。また実験結果からみても、活性化鉱水の物理化学的な性質が樹脂やガラスの原材料に転移した状態になると考えられる。
【００３９】
このように活性化鉱水を光照射装置の構成部材である光透過部もしくは光反射部または両部材に接触させる処理は、常温、常圧で行なうこともできるが、処理対象物である電光装置の光が通過するレンズなどの光透過部や、光反射部（電光装置から周囲に拡散した光を前方などに集中させるための光学的反射面）を含めて、装置の一部または全体（水濡れに不適当な電気回路などを除く。）を耐圧性のタンクに収容し、加圧ポンプで処理対象物が壊れない程度に２〜３０気圧の範囲で加圧調整した活性化鉱水を供給する状態で行なうことは製造効率がよくて好ましい。
【００４０】
次に、上記のようにして製造された光照射装置を用いて、活性化鉱水に接触することなく、同様な特性を有する光照射装置を製造する。
すなわち、光照射装置の構成部材である光透過部もしくは光反射部または両部材に、前記のようにして得られた光照射装置からの光を照射する。光照射装置の構成部材である光透過部もしくは光反射部の例としては、前述した例と同様である。
【００４１】
照射時間は、できるだけ長時間であることが好ましく、少なくとも１時間以上、好ましくは１０時間、より好ましくは２４時間以上であれば、処理対象品の大きさや構造に合わせて充分に表面が均等に照射でき、また処理対象品の立体的形状からみた表面の凹凸が多いもの、その他複雑な形状である場合にも充分に光照射される。
【００４２】
また、光照射の際には、被処理品に対して活性化鉱水を霧状に噴霧しながら行なえば、活性化鉱水から放出される電磁波が鉱物性無機物質と共に確実に作用すると考えられるので好ましい。このようにして所定方法で製造された活性化鉱水から放出される電磁波を光照射装置の所定の構成部材に照射し、これらに電磁振動エネルギーを吸収させるようにする。
【００４３】
光照射装置は、その構造は特に限定されるものではなく、周知の照明器具の基本な構造を備えたものを採用でき、例えば可視光または紫外線を発光する蛍光灯、発光ダイオード（ＬＥＤ）、アルゴンガスやクリプトンガスを封入した白熱電球（豆電球を含む。）を用いた白熱灯、水銀灯など、または赤外線や遠赤外線を発生させるハロゲンランプなどを適用できる。
【００４４】
因みに、ハロゲンランプは、石英管内にタングステンフィラメントを内蔵しハロゲンガスを封入したものであり、ハロゲンランプが放射する光の８０％以上が熱（赤外線）である。
【００４５】
一方、蛍光灯の発光機構は、電流が流れると蛍光管フイラメントから電子が飛び出し、内部に封入されている気体の水銀と衝突し、紫外線が発せられ、紫外線は蛍光ガラス管の内側には塗布されている蛍光塗料（高輝度の蓄光顔料と様々な樹脂及び添加剤をブレンドした塗料）に当たって発光し、蛍光管外に可視光線を放つというものである。
【００４６】
この発明の第１実施形態として挙げる蛍光灯では、ガラス管などの光透過部もしくは蓄光材または反射板などの光反射部を処理対象物とし、例えば蓄光塗料またはそれに含まれる蓄光材に対して、前記光照射装置からの光を照射するか、またはガラス管に対して光照射装置からの光を照射する。因みに、蓄光材としては、アルミナ系酸化物の無機顔料が代表例であり、それらは１０００℃以上の温度で溶融して製造される。
【００４７】
また、図１に示す第２実施形態の発光ダイオード（ＬＥＤ）からなる光照射装置（光源となるもの）Ａでは、発光ダイオード（ＬＥＤ）チップ１を合成樹脂製の光透過部２に封入したものであり、光透過部２に対して、前記光照射装置からの光が照射処理されている。
【００４８】
発光ダイオード（ＬＥＤ）チップ１は、ＬＥＤ用の周知の半導体材料を使用し、二層構造またはダブルヘテロ構造などの周知の積層構造のものであり、直流電源からの＋端子３と−端子４に表裏から接続されて、赤、青、黄、白色などのエレクトロルミネッセンスが可能であるように材料を選択的に採用できる。
【００４９】
たとえば、ＬＥＤ用の周知の半導体材料およびその発光色としては、ＩＮＧＡＮ（青色）、ＺｎＣｄＳｅ（青色）、ＺｎＴｅＳｅ（緑色）、ＧａＰ（緑色）、ＡＧａＩｎＰ（黄色）、ＩＮＧＡＮ（黄色）、ＡｌＧａＡｓ（赤色）、ＧａＰ(Ｚｎ−Ｏ)（赤色）、ＧａＡｓ(Ｓｉ)（赤外線）、（ＩｎＧａＡｓＰ）（赤外線）などである。
【００５０】
さらに、エレクトロルミネッセンス(ＥＬ)とフォトルミネッセンス(ＰＬ)を組み合わせて、光を別の波長(別の色)に変え、青色ＬＥＤとＹＡＧ(イットリウム・アルミニウム・ガーネット)系蛍光体などを組み合わせて白色ＬＥＤを使用することもできる。
【００５１】
光透過部２は、電球に使用できる耐熱性のあるガラス材などのセラミックや耐久性や透明性のよい合成樹脂などからなるものであればよく、また透明な素材ばかりでなく、着色された素材であってもよい。また、光透過部２の形状は、図示したようにいわゆる発光ダイオードのカプセル型である物の他に、球、楕円球、円筒型、白熱電球型など種々任意の形態であってもよく、先端に集光のためのレンズ部２ａを備えているものは好適品である。
【００５２】
図２に示すように、照明装置としては、電光装置の光源Ａから発生した光を凸レンズ５付きのヘッド６やその他の光透過性または光反射性の１以上の光学部品を介して被照明物に照射可能であるもの、例えば懐中電灯、その他周知の照明器具を例示できる。光透過性の光学部品としては、凸レンズ、凹レンズや平板状または曲面状のガラスなどの透明性または半透明性のセラミックス、またはポリカーボネートやアクリル系樹脂などの合成樹脂製の透明な部品、同様な材料で形成された外装部品（カバー、ケースなど）が挙げられる。
【実施例】
【００５３】
［活性化鉱水の製造］
ステンレス製の耐圧容器の両端部に操作弁付きの通水路と排水路を接続すると共に、耐圧容器の内部にステンレス製の多孔板または網板等からなるフィルターを対向させ、かつできるだけ間隔を開けて配置し、そのフィルター間に粒径約５ｍｍの玄武岩粒を主成分とする鉱物性無機物質を充填した。排水路は、大気に解放された貯水タンクに連結し、さらにこの貯水タンクからの水を前記耐圧容器の通水路に返送して循環させるようにした。原料の水道水は、圧力ポンプで２５気圧に加圧して耐圧容器の一端に通水し、他端から押出された水は貯水タンクの上部から曝気状態で注水して、貯水タンクの下部に溜まった水は圧力ポンプで通水路に返送して２４時間の加圧と減圧解放を繰り返し、６００リットルの活性化鉱水を製造した。
【００５４】
［電光装置（従来品）の製造］
発光ダイオードおよび懐中電灯のレンズ付きヘッドを収容した圧力タンクに、前述のようして製造した活性化鉱水を満たし、３気圧の加圧状態で２４時間浸漬して活性化鉱水での接触処理を行なった。そして、得られた発光ダイオード５個を光源とし、レンズ付きヘッドを取り付けた直流電源３Ｖの電光装置を製造した。
【００５５】
［活性化鉱水由来の電磁波同調光の照射装置（実施例１、２、３、４）の製造］
紫外線蛍光灯（市販品：ブラックライト、４Ｗ、ＦＬ４ＢＬ）のガラス管に、前記のようにして得られた電光装置からの光を外部から２４時間照射し、活性化鉱水由来の電磁波同調光の照射装置（実施例１）を得た。
【００５６】
また、昼光色の蛍光灯（市販品：１００Ｖ、１５Ｗ、直管）のガラス管に、前記のようにして得られた電光装置からの光を外部から２４時間照射し、活性化鉱水由来の電磁波同調光の照射装置（実施例２）を得た。
【００５７】
また、蛍光灯（市販品：昼光色、２００Ｖ、４０Ｗ）のガラス管に、前記のようにして得られた電光装置からの光を外部から２４時間照射し、活性化鉱水由来の電磁波同調光の照射装置（実施例３）を得た。
【００５８】
また、発光ダイオードおよび懐中電灯のレンズ付きヘッドに前記のようにして得られた電光装置からの光を外部から２４時間照射し、活性化鉱水由来の電磁波同調光の照射装置（実施例４）を得た。
【００５９】
［実験例１］
実施例１（紫外線蛍光灯）の照射処理による空気中の水蒸気に対する荷電粒子数の影響を調べるため、図３に示すように、実施例１を発光可能な状態で同心円状に二重壁（外周壁直径６０ｃｍ、内周壁直径１７．５ｃｍ）を設けた「たらい形」の容器７を準備し、その外壁７ａ、内壁７ｂの間に水道水Ｗを深さ１５ｃｍまで貯めてから内周壁の中心に実施例１（紫外線蛍光灯）８を直立させた状態で点灯し、６０分間の点灯直後の容器内の水を資料として採水した。
【００６０】
得られた水は、噴霧器に入れて室内（測定時の室内マイナスイオン数平均４３個／ｃｃ）に噴霧し、噴霧直後から１分間のプラスイオンとマイナスイオンの単位体積当たりの数を測定器（フィーサ社製：エアーイオンカウンタＦＩＣ−２０００）で計測した。この結果は表１中および図４の図表に示した。
【００６１】
なお、比較のために活性化鉱水由来の電磁波同調光による光照射処理をしていない比較例１の紫外線蛍光灯（市販品：ブラックライト、４Ｗ、ＦＬ４ＢＬ）を用いたこと以外は実施例１と全く同様してプラスイオンとマイナスイオンの単位体積当たりの数を計測し、その結果は表１中および図４の図表に併記した。
また、単に水道水を噴霧器に入れて室内に噴霧し、その噴霧雰囲気中のプラスイオンとマイナスイオンの単位体積当たりの数を計測し、その結果を表１中および図４の図表に併記した。
【００６２】
【表１】
2009056126.tif 000002
【００６３】
表１および図４の結果からも明らかなように、通常の水道水の噴霧では室内にマイナスイオンが富化されることは全くなく、また単なる紫外線を水道水に照射し、それを噴霧しても室内空気中のマイナスイオンは、測定時間１分平均でプラスイオンの１．３倍程度であったが、その量に比べて実施例１の照射処理によると、空気中にマイナスイオンがプラスイオンの１．７倍量にまで顕著に富化されていた。
【００６４】
［実験例２］
実施例２（昼光色蛍光灯）の照射処理により、空気中の水蒸気に対する荷電粒子数の影響を調べるため、図３に示すように、実施例２を点灯し、９０分間の点灯直後の容器内の水を資料として採水した。
【００６５】
得られた水は、噴霧器に入れて室内に噴霧し、噴霧直後から１分間のプラスイオンとマイナスイオンの単位体積当たりの数を測定器（フィーサ社製：エアーイオンカウンタＦＩＣ−２０００）で計測した。この結果は表２中および図５の図表に示した。因みに、測定時における室内雰囲気のマイナスイオン存在量は、数平均４３個／ｃｃであった。
【００６６】
なお、比較のために活性化鉱水由来の電磁波同調光による光照射処理をしていない比較例２の蛍光灯（市販蛍光灯：４Ｗ、ＦＬ４）を用いたこと以外は実施例２と全く同様してプラスイオンとマイナスイオンの単位体積当たりの数を計測し、その結果は表２中および図５の図表に併記した。
【００６７】
【表２】
2009056126.tif 000003
【００６８】
表２および図５の結果からも明らかなように、単なる紫外線を水道水に照射しそれを噴霧しても室内空気中のマイナスイオンは富化されることはなかったが、実施例２の照射処理によれば、空気中にマイナスイオンがプラスイオンの２．０倍の量に富化されていた。
【００６９】
［実験例３］
実施例３の蛍光灯を用い、自動車の塗装工場内（タクト送り式の塗装ブース）における空気中の有機溶媒（トルエン、キシレンなど）の有臭成分の脱臭性能を調べる実験を行なった。
【００７０】
すなわち、工場内の蛍光灯による照明設備として、市販されている通常の蛍光灯（市販品：昼光色、２００Ｖ、４０Ｗ）に代えて、実施例３の蛍光灯に取替えた。そして、２トントラックのボディー塗装を行ない、総合排気口を測定ポイントとした。すなわち、蛍光灯３０本で照明されているブースまたは４０本で照明されているブースでの蛍光灯を通常の蛍光灯から実施例３の蛍光灯に取替える前と後での排気ミストを、１Ｌ／分の吸引量で２０分間吸引し、ビニール袋に捕集した。このようにして捕集されたサンプルのＶＯＣ（Volatile Organic Compounds）濃度値（ppmC）を、水素炎イオン化型分析計で測定し、その結果を表３中に示した。
【００７１】
【表３】
2009056126.tif 000004
【００７２】
表３の結果からも明らかなように、通常の蛍光灯に比べて実施例３の処理を経た蛍光灯は、脱臭機能により２０〜４９％程度の臭い削減率であることが判明した。
【００７３】
［実験例４］
実施例４のＬＥＤ電灯を照射することにより、生体の血流変化を調べるため、ノーマルＬＥＤ電灯を対照として、照射前後の血流速度および血流量の変化率を測定した。
すなわち、健常な成年男子（４９歳）を被験者として、室温２２．２℃で１０分間安静を保った後、ノーマルＬＥＤ電灯を１０センチの距離から肩に照射し、２０分間の血流速度、血流量をレーザードップラー血流計にて経時的に測定した。
【００７４】
次いで、２０分間の急速の後、実施例４のＬＥＤ電灯を全く同様に照射することにより、２０分間の血流速度、血流量をレーザードップラー血流計にて経時的に測定した。
これらの結果は、表４中に示した。
【００７５】
【表４】
2009056126.tif 000005
【００７６】
表４の結果からも明らかなように、実施例４のＬＥＤ電灯を照射することにより、ノーマルＬＥＤの照射に比べて血流速度は８．０％増加し、血流量も６．６％増加した。これにより、実施例４の活性化鉱水由来の電磁波同調光の照射装置（ＬＥＤ電灯）は、血流改善効果が奏されたことがわかる。
【図面の簡単な説明】
【００７７】
【図１】実施形態の電光装置である発光ダイオードの一部切り欠き正面図
【図２】実施形態の照明装置である懐中電灯の概略構成を示す斜視図
【図３】実験例１の実験装置の概略構成を示す斜視図
【図４】実施例１の空気中マイナスイオンの経時的富化効果を示す図表
【図５】実施例２の空気中マイナスイオンの経時的富化効果を示す図表
【符号の説明】
【００７８】
１  発光ダイオードチップ
２  透光性中空成形体
２ａ  レンズ部
３  ＋端子
４  −端子
５  凸レンズ
６  ヘッド
７  容器
７ａ  外壁
７ｂ  内壁
８  紫外線蛍光灯
Ａ  電光装置（光源）
Ｗ  水
【図１】
2009056126.tif 000006
【図２】
2009056126.tif 000007
【図３】
2009056126.tif 000008
【図４】
2009056126.tif 000009
【図５】
2009056126.tif 000010